【手続補正書】
【提出日】平成25年12月19日(2013.12.19)
【手続補正１】
【補正対象書類名】特許請求の範囲
【補正対象項目名】全文
【補正方法】変更
【補正の内容】
【特許請求の範囲】
【請求項１】
対象の皮膚からおよび／または皮下から流体を採取するためのデバイスであって、該デバイスは、
可逆的に変形可能な構造と、
該変形可能な構造の変形可能な部分に固定された流体輸送器であって、該流体輸送器は１つ以上のマイクロニードルを備える、流体輸送器と、
該流体輸送器を介して該対象から採取された流体を受けるための貯蔵チャンバと
を備え、
該デバイスが該対象の皮膚の表面に適用され、および該構造が変形させられるとき、該流体輸送器は、該対象の皮膚の中に打ち込まれる、デバイス。
【請求項２】
前記可逆的に変形可能な構造は、凹状または凸状の形状を有する、請求項１に記載のデバイス。
【請求項３】
前記マイクロニードルの少なくともいくつかは、中実である、請求項１または２のいずれか一項に記載のデバイス。
【請求項４】
前記マイクロニードルの少なくともいくつかは、中空である、請求項１から３のいずれか一項のいずれか一項に記載のデバイス。
【請求項５】
力が加えられ、次いで解放されると、前記可逆的に変形可能な構造は、それの元の形状に自然に戻る、請求項１から４のいずれか一項に記載のデバイス。
【請求項６】
前記可逆的に変形可能な構造は、ポリマーを含む、請求項１から５のいずれか一項に記載のデバイス。
【請求項７】
前記可逆的に変形可能な構造は、金属を含む、請求項１から６のいずれか一項に記載のデバイス。
【請求項８】
前記貯蔵チャンバは、前記流体を受ける前において大気圧よりも低い内圧を有する、請求項１から７のいずれか一項に記載のデバイス。
【請求項９】
前記対象から採取された前記流体は、血液を含む、請求項１から８のいずれか一項に記載のデバイス。
【請求項１０】
前記対象から採取された前記流体は、間質液を含む、請求項１から９のいずれか一項に記載のデバイス。
【請求項１１】
前記対象は、ヒトである、請求項１から１０のいずれか一項に記載のデバイス。
【請求項１２】
前記デバイスは、内蔵型である、請求項１から１１のいずれか一項に記載のデバイス。
【請求項１３】
対象の皮膚からおよび／または皮下から流体を採取するためのデバイスであって、該デバイスは、
支持構造と、
該支持構造に固定された流体輸送器であって、該流体輸送器は１つ以上のマイクロニードルを備える、流体輸送器と、
該流体輸送器を介して該対象から採取された流体を受けるための貯蔵チャンバと
を備え、
該支持構造は、該流体輸送器を少なくとも約１ｃｍ／ｓのスピードで該皮膚の中に挿入することができる、デバイス。
【請求項１４】
前記支持構造は、前記流体輸送器を少なくとも約１０ｃｍ／ｓのスピードで前記皮膚の中に挿入することができる、請求項１３に記載のデバイス。
【請求項１５】
前記支持構造は、可逆的に変形可能な構造を備える、請求項１３または１４のいずれか一項に記載のデバイス。
【請求項１６】
力が加えられ、次いで解放されると、前記可逆的に変形可能な構造は、それの元の形状に自然に戻る、請求項１５に記載のデバイス。
【請求項１７】
前記支持構造の少なくとも一部分は、凹状または凸状の形状を有する、請求項１３から１６のいずれか一項に記載のデバイス。
【請求項１８】
前記マイクロニードルの少なくともいくつかは、中実である、請求項１３から１７のいずれか一項に記載のデバイス。
【請求項１９】
前記マイクロニードルの少なくともいくつかは、中空である、請求項１３から１８のいずれか一項に記載のデバイス。
【請求項２０】
前記対象から採取された前記流体は、血液を含む、請求項１３から１９のいずれか一項に記載のデバイス。
【請求項２１】
前記対象から採取された前記流体は、間質液を含む、請求項１３から２０のいずれか一項に記載のデバイス。
【請求項２２】
前記対象は、ヒトである、請求項１３から２１のいずれか一項に記載のデバイス。
【請求項２３】
前記デバイスは、内蔵型である、請求項１３から２２のいずれか一項に記載のデバイス。
【請求項２４】
対象の皮膚および／または皮下まで流体を送達し、および／または対象の皮膚および／または皮下から流体を採取するためのデバイスであって、該デバイスは、
該対象の皮膚の中に挿入するための複数のマイクロニードルであって、該複数のマイクロニードルは、配置前位置および配置位置を有する、複数のマイクロニードルと、
該複数のマイクロニードルに動作可能に連結可能である可逆的に変形可能な構造であって、該可逆的に変形可能な構造は、第１の安定な構成から不安定な構成を経て第２の安定な構成まで切り替え可能である、可逆的に変形可能な構造と
を備え、
該第１の安定な構成において、該マイクロニードルは、該対象の皮膚と接触不可能であり、該第２の安定な構成において、該マイクロニードルは、該対象の皮膚の中に挿入可能である、デバイス。
【請求項２５】
対象の皮膚および／または皮下まで流体を送達し、および／または対象の皮膚および／または皮下から流体を採取するためのデバイスであって、該デバイスは、
対象の皮膚の中に挿入するための複数のマイクロニードルであって、該複数のマイクロニードルは、配置前位置および配置位置を有する、複数のマイクロニードルと、
該複数のマイクロニードルに動作可能に連結可能である可逆的に変形可能な構造であって、該可逆的に変形可能な構造と該対象の皮膚との間の最大距離は１０ｍｍ以下である、可逆的に変形可能な構造と
を備える、デバイス。
【請求項２６】
対象の皮膚および／または皮下まで流体を送達し、および／または対象の皮膚および／または皮下から流体を採取するためのデバイスであって、該デバイスは、
該対象の皮膚の中に挿入するための複数のマイクロニードルであって、該複数のマイクロニードルは、配置前位置および配置位置を有する、複数のマイクロニードルと、
該複数のマイクロニードルに動作可能に連結可能である可逆的に変形可能な構造と
を備え、
該デバイスは、
該デバイスが媒体の抽出のために設置されているときの、抽出区域と平行な約５ｃｍ以下の最大横方向寸法、または
該デバイスが該媒体の抽出のために設置されているときの、該対象の皮膚から延在している約１ｃｍ以下の最大縦方向寸法、または
該媒体を含まない約２５ｇ以下の質量
のうちの少なくとも１つを備える、デバイス。
【請求項２７】
対象の皮膚および／または皮下まで流体を送達し、および／または対象の皮膚および／または皮下から流体を採取するためのデバイスであって、該デバイスは、
該対象の皮膚の中に挿入するための複数のマイクロニードルであって、該複数のマイクロニードルは、配置前位置および配置位置を有する、複数のマイクロニードルと、
該複数のマイクロニードルに動作可能に連結可能である可逆的に変形可能な構造であって、該可逆的に変形可能な構造は、蓄積エネルギー位置から、該蓄積エネルギー位置よりも高いエネルギーにある活性化エネルギー障壁を経て、該活性化エネルギー障壁よりも低いエネルギー準位にある配置エネルギー位置まで切り替え可能である、可逆的に変形可能な構造であって、該蓄積エネルギー位置は、該マイクロニードルの該配置前位置と関連付けられ、該配置エネルギー位置は、該マイクロニードルの該配置位置と関連付けられる、デバイス。
【請求項２８】
前記可逆的に変形可能な構造の第１の低エネルギー構成は、第２の低エネルギー位置よりも高いエネルギーにある準備位置であり、該構造を該第１の低エネルギー位置から高エネルギー位置を経て付勢することは、該構造が該第２の低エネルギー位置に急速に移動し、およびアクチュエータ配置前位置との関連付けに急速に配置されるようにさせ、第２の低エネルギー構成は、アクチュエータ配置位置と関連付けられる、請求項２７に記載のデバイス。
【請求項２９】
前記可逆的に変形可能な構造は、凹状または凸状の形状を有する、請求項２４から２８のいずれか一項に記載のデバイス。
【請求項３０】
力が加えられ、次いで解放されると、前記可逆的に変形可能な構造は、それの元の形状に自然に戻る、請求項２４から２９のいずれか一項に記載のデバイス。
【請求項３１】
前記可逆的に変形可能な構造は、ポリマーを含む、請求項２４から３０のいずれか一項に記載のデバイス。
【請求項３２】
前記可逆的に変形可能な構造は、金属を含む、請求項２４から３１のいずれか一項に記載のデバイス。
【請求項３３】
対象の皮膚および／または皮下まで流体を送達し、および／または対象の皮膚および／または皮下から流体を採取するためのデバイスであって、該デバイスは、
対象の皮膚の中に挿入するための複数のマイクロニードルであって、該複数のマイクロニードルは、配置前位置および配置位置を有する、複数のマイクロニードルと、
発射機構であって、該複数のマイクロニードルが配置中に該皮膚に初めて触れると、該発射機構は、該マイクロニードルを該配置前位置から該配置位置まで、０．００２秒未満の期間で、および／または少なくとも６メートル／秒の速度で移動させることができる、発射機構と
を備える、デバイス。
【請求項３４】
対象の皮膚および／または皮下に流体を送達し、および／または対象の皮膚および／または皮下から流体を採取するためのデバイスであって、該デバイスは、
該対象の皮膚の中に挿入するための複数のマイクロニードルであって、該複数のマイクロニードルは、配置前位置および配置位置を有する、複数のマイクロニードルと、
トリガ機構であって、該トリガ機構は、該マイクロニードルを該配置前位置から該配置位置まで移動させることができ、および該マイクロニードルを該配置前位置から該配置位置に向かう移動中の少なくとも１つの期間に少なくとも１００，０００メートル／秒２の割合で加速させることができる、トリガ機構と
を備える、デバイス。
【請求項３５】
対象の皮膚および／または皮下に流体を送達し、および／または対象の皮膚および／または皮下から流体を採取するためのデバイスであって、該デバイスは、
該対象の皮膚の中に挿入するための複数のマイクロニードルであって、該複数のマイクロニードルは、配置前位置および配置位置を有する、複数のマイクロニードルと、
該マイクロニードルを完全配置前位置から完全配置位置までを移動させることができるトリガ機構であって、該完全配置前位置と該完全配置位置との間の距離は５，０００ミクロン以下である、トリガ機構と
を備える、デバイス。
【請求項３６】
対象の皮膚および／または皮下に流体を送達し、および／または対象の皮膚および／または皮下から流体を採取するためのデバイスであって、該デバイスは、
対象の皮膚の中に挿入するための複数のマイクロニードルであって、該マイクロニードルは、配置前位置と配置位置とを有し、該マイクロニードルの各々は、基部から突出して該基部からの長さを画定し、該複数のマイクロニードルは、１，０００ミクロン以下の平均長さを画定する、複数のマイクロニードルと、
トリガ機構であって、該トリガ機構は、該複数のマイクロニードルを皮膚の中にまたは皮膚を通して該複数のマイクロニードルの平均長さの少なくとも６０％の平均深さまで挿入することに十分な力によって、該マイクロニードルを完全配置前位置から完全配置位置まで移動させることができる、トリガ機構と
を備える、デバイス。
【請求項３７】
前記挿入の深さは、前記複数のマイクロニードルの前記平均長さの少なくとも７０％である、請求項３６に記載のデバイス。
【請求項３８】
前記挿入の深さは、前記複数のマイクロニードルの前記平均長さの少なくとも８０％である、請求項３６に記載のデバイス。
【請求項３９】
前記挿入の深さは、前記複数のマイクロニードルの前記平均長さの少なくとも９０％である、請求項３６に記載のデバイス。
【請求項４０】
少なくとも３つだが、５つ以下のマイクロニードルを備える、請求項２４から３９のいずれか一項に記載のデバイス。
【請求項４１】
少なくとも６つだが、１０個以下のマイクロニードルを備える、請求項２４から３９のいずれか一項に記載のデバイス。
【請求項４２】
少なくとも１１個だが、２０個以下のマイクロニードルを備える、請求項２４から３９のいずれか一項に記載のデバイス。
【請求項４３】
前記マイクロニードルの少なくともいくつかは、中実である、請求項２４から４２のいずれか一項に記載のデバイス。
【請求項４４】
前記マイクロニードルの少なくともいくつかは、中空である、請求項２４から４３のいずれか一項に記載のデバイス。
【請求項４５】
前記対象は、ヒトである、請求項２４から４４のいずれか一項に記載のデバイス。
【請求項４６】
前記デバイスは、内蔵型である、請求項２４から４５のいずれか一項に記載のデバイス。
【手続補正２】
【補正対象書類名】明細書
【補正対象項目名】００３３
【補正方法】変更
【補正の内容】
【００３３】
別の態様では、本発明は、本明細書において説明する実施形態たとえば対象から血液などの流体を採取するためのデバイスのうちの１つまたは複数を作製する方法を対象とする。別の態様では、本発明は、本明細書において説明する実施形態たとえば対象から血液などの流体を採取するためのデバイスのうちの１つまたは複数を使用する方法を対象とする。
本発明は、例えば以下の項目を提供する。
（項目１）
対象の皮膚からおよび／または皮下から流体を採取するためのデバイスであって、該デバイスは、
可逆的に変形可能な構造と、
該変形可能な構造の変形可能な部分に固定された流体輸送器と、
該流体輸送器を介して該対象から採取された流体を受けるための貯蔵チャンバと
を備え、
該デバイスが該対象の皮膚の表面に適用され、および該構造が変形させられるとき、該流体輸送器は、該対象の皮膚の中に打ち込まれる、デバイス。
（項目２）
前記可逆的に変形可能な構造は、凹状または凸状の形状を有する、項目１に記載のデバイス。
（項目３）
前記流体輸送器は、１つ以上のマイクロニードルを備える、項目１または２のいずれか一項に記載のデバイス。
（項目４）
前記マイクロニードルの少なくともいくつかは、中実である、項目３に記載のデバイス。
（項目５）
前記マイクロニードルの少なくともいくつかは、中空である、項目３または４のいずれか一項に記載のデバイス。
（項目６）
力が加えられ、次いで解放されると、前記可逆的に変形可能な構造は、それの元の形状に自然に戻る、項目１から５のいずれか一項に記載のデバイス。
（項目７）
前記可逆的に変形可能な構造は、ポリマーを含む、項目１から６のいずれか一項に記載のデバイス。
（項目８）
前記可逆的に変形可能な構造は、金属を含む、項目１から７のいずれか一項に記載のデバイス。
（項目９）
前記貯蔵チャンバは、前記流体を受ける前において大気圧よりも低い内圧を有する、項目１から８のいずれか一項に記載のデバイス。
（項目１０）
前記対象から採取された前記流体は、血液を含む、項目１から９のいずれか一項に記載のデバイス。
（項目１１）
前記対象から採取された前記流体は、間質液を含む、項目１から１０のいずれか一項に記載のデバイス。
（項目１２）
前記対象は、ヒトである、項目１から１１のいずれか一項に記載のデバイス。
（項目１３）
前記デバイスは、内蔵型である、項目１から１２のいずれか一項に記載のデバイス。
（項目１４）
対象の皮膚からおよび／または皮下から流体を採取するためのデバイスであって、該デバイスは、
支持構造と、
該支持構造に固定された流体輸送器と、
該流体輸送器を介して該対象から採取された流体を受けるための貯蔵チャンバと
を備え、
該支持構造は、該流体輸送器を少なくとも約１ｃｍ／ｓのスピードで該皮膚の中に挿入することができる、デバイス。
（項目１５）
前記支持構造は、前記流体輸送器を少なくとも約１０ｃｍ／ｓのスピードで前記皮膚の中に挿入することができる、項目１４に記載のデバイス。
（項目１６）
前記支持構造は、可逆的に変形可能な構造を備える、項目１４または１５のいずれか一項に記載のデバイス。
（項目１７）
力が加えられ、次いで解放されると、前記可逆的に変形可能な構造は、それの元の形状に自然に戻る、項目１６に記載のデバイス。
（項目１８）
前記支持構造の少なくとも一部分は、凹状または凸状の形状を有する、項目１４から１７のいずれか一項に記載のデバイス。
（項目１９）
前記流体輸送器は、１つ以上のマイクロニードルを備える、項目１４から１８のいずれか一項に記載のデバイス。
（項目２０）
前記マイクロニードルの少なくともいくつかは、中実である、項目１９に記載のデバイス。
（項目２１）
前記マイクロニードルの少なくともいくつかは、中空である、項目１９または２０のいずれか一項に記載のデバイス。
（項目２２）
前記対象から採取された前記流体は、血液を含む、項目１４から２１のいずれか一項に記載のデバイス。
（項目２３）
前記対象から採取された前記流体は、間質液を含む、項目１４から２２のいずれか一項に記載のデバイス。
（項目２４）
前記対象は、ヒトである、項目１４から２３のいずれか一項に記載のデバイス。
（項目２５）
前記デバイスは、内蔵型である、項目１４から２４のいずれか一項に記載のデバイス。
（項目２６）
対象の皮膚および／または皮下まで流体を送達し、および／または対象の皮膚および／または皮下から流体を採取するためのデバイスであって、該デバイスは、
該対象の皮膚の中に挿入するための複数の皮膚挿入物であって、該複数の皮膚挿入物は、配置前位置および配置位置を有する、複数の皮膚挿入物と、
該複数の皮膚挿入物に動作可能に連結可能である可逆的に変形可能な構造であって、該可逆的に変形可能な構造は、第１の安定な構成から不安定な構成を経て第２の安定な構成まで切り替え可能である、可逆的に変形可能な構造と
を備え、
該第１の安定な構成において、該皮膚挿入物は、該対象の皮膚と接触不可能であり、該第２の安定な構成において、該皮膚挿入物は、該対象の皮膚の中に挿入可能である、デバイス。
（項目２７）
対象の皮膚および／または皮下まで流体を送達し、および／または対象の皮膚および／または皮下から流体を採取するためのデバイスであって、該デバイスは、
対象の皮膚の中に挿入するための複数の皮膚挿入物であって、該複数の皮膚挿入物は、配置前位置および配置位置を有する、複数の皮膚挿入物と、
該複数の皮膚挿入物に動作可能に連結可能である可逆的に変形可能な構造であって、該可逆的に変形可能な構造と該対象の皮膚との間の最大距離は１０ｍｍ以下である、可逆的に変形可能な構造と
を備える、デバイス。
（項目２８）
対象の皮膚および／または皮下まで流体を送達し、および／または対象の皮膚および／または皮下から流体を採取するためのデバイスであって、該デバイスは、
該対象の皮膚の中に挿入するための複数の皮膚挿入物であって、該複数の皮膚挿入物は、配置前位置および配置位置を有する、複数の皮膚挿入物と、
該複数の皮膚挿入物に動作可能に連結可能である可逆的に変形可能な構造と
を備え、
該デバイスは、
該デバイスが媒体の抽出のために設置されているときの、抽出区域と平行な約５ｃｍ以下の最大横方向寸法、または
該デバイスが該媒体の抽出のために設置されているときの、該対象の皮膚から延在している約１ｃｍ以下の最大縦方向寸法、または
該媒体を含まない約２５ｇ以下の質量
のうちの少なくとも１つを備える、デバイス。
（項目２９）
対象の皮膚および／または皮下まで流体を送達し、および／または対象の皮膚および／または皮下から流体を採取するためのデバイスであって、該デバイスは、
該対象の皮膚の中に挿入するための複数の皮膚挿入物であって、該複数の皮膚挿入物は、配置前位置および配置位置を有する、複数の皮膚挿入物と、
該複数の皮膚挿入物に動作可能に連結可能である可逆的に変形可能な構造であって、該可逆的に変形可能な構造は、蓄積エネルギー位置から、該蓄積エネルギー位置よりも高いエネルギーにある活性化エネルギー障壁を経て、該活性化エネルギー障壁よりも低いエネルギー準位にある配置エネルギー位置まで切り替え可能である、可逆的に変形可能な構造であって、該蓄積エネルギー位置は、該皮膚挿入物の該配置前位置と関連付けられ、該配置エネルギー位置は、該皮膚挿入物の該配置位置と関連付けられる、デバイス。
（項目３０）
前記可逆的に変形可能な構造の第１の低エネルギー構成は、第２の低エネルギー位置よりも高いエネルギーにある準備位置であり、該構造を該第１の低エネルギー位置から高エネルギー位置を経て付勢することは、該構造が該第２の低エネルギー位置に急速に移動し、およびアクチュエータ配置前位置との関連付けに急速に配置されるようにさせ、第２の低エネルギー構成は、アクチュエータ配置位置と関連付けられる、項目２９に記載のデバイス。
（項目３１）
前記可逆的に変形可能な構造は、凹状または凸状の形状を有する、項目２６から３０のいずれか一項に記載のデバイス。
（項目３２）
力が加えられ、次いで解放されると、前記可逆的に変形可能な構造は、それの元の形状に自然に戻る、項目２６から３１のいずれか一項に記載のデバイス。
（項目３３）
前記可逆的に変形可能な構造は、ポリマーを含む、項目２６から３２のいずれか一項に記載のデバイス。
（項目３４）
前記可逆的に変形可能な構造は、金属を含む、項目２６から３３のいずれか一項に記載のデバイス。
（項目３５）
対象の皮膚および／または皮下まで流体を送達し、および／または対象の皮膚および／または皮下から流体を採取するためのデバイスであって、該デバイスは、
対象の皮膚の中に挿入するための複数の皮膚挿入物であって、該複数の皮膚挿入物は、配置前位置および配置位置を有する、複数の皮膚挿入物と、
発射機構であって、該複数の皮膚挿入物が配置中に該皮膚に初めて触れると、該発射機構は、該皮膚挿入物を該配置前位置から該配置位置まで、０．００２秒未満の期間で、および／または少なくとも６メートル／秒の速度で移動させる、発射機構と
を備える、デバイス。
（項目３６）
対象の皮膚および／または皮下に流体を送達し、および／または対象の皮膚および／または皮下から流体を採取するためのデバイスであって、該デバイスは、
該対象の皮膚の中に挿入するための複数の皮膚挿入物であって、該複数の皮膚挿入物は、配置前位置および配置位置を有する、複数の皮膚挿入物と、
トリガ機構であって、該トリガ機構は、該皮膚挿入物を該配置前位置から該配置位置まで移動させることができ、および該皮膚挿入物を該配置前位置から該配置位置に向かう移動中の少なくとも１つの期間に少なくとも１００，０００メートル／秒２の割合で加速させることができる、トリガ機構と
を備える、デバイス。
（項目３７）
対象の皮膚および／または皮下に流体を送達し、および／または対象の皮膚および／または皮下から流体を採取するためのデバイスであって、該デバイスは、
該対象の皮膚の中に挿入するための複数の皮膚挿入物であって、該複数の皮膚挿入物は、配置前位置および配置位置を有する、複数の皮膚挿入物と、
該皮膚挿入物を完全配置前位置から完全配置位置までを移動させることができるトリガ機構であって、該完全配置前位置と該完全配置位置との間の距離は５，０００ミクロン以下である、トリガ機構と
を備える、デバイス。
（項目３８）
対象の皮膚および／または皮下に流体を送達し、および／または対象の皮膚および／または皮下から流体を採取するためのデバイスであって、該デバイスは、
対象の皮膚の中に挿入するための複数の皮膚挿入物であって、該皮膚挿入物は、配置前位置と配置位置とを有し、該皮膚挿入物の各々は、基部から突出して該基部からの長さを画定し、該複数の皮膚挿入物は、１，０００ミクロン以下の平均長さを画定する、複数の皮膚挿入物と、
トリガ機構であって、該トリガ機構は、該複数の皮膚挿入物を皮膚の中にまたは皮膚を通して該複数の皮膚挿入物の平均長さの少なくとも６０％の平均深さまで挿入することに十分な力によって、完全配置前位置から完全配置位置まで移動させることができる、トリガ機構と
を備える、デバイス。
（項目３９）
前記挿入の深さは、前記複数の皮膚挿入物の前記平均長さの少なくとも７０％である、項目３８に記載のデバイス。
（項目４０）
前記挿入の深さは、前記複数の皮膚挿入物の前記平均長さの少なくとも８０％である、項目３８に記載のデバイス。
（項目４１）
前記挿入の深さは、前記複数の皮膚挿入物の前記平均長さの少なくとも９０％である、項目３８に記載のデバイス。
（項目４２）
少なくとも３つだが、５つ以下の皮膚挿入物を備える、項目２６から４１のいずれか一項に記載のデバイス。
（項目４３）
少なくとも６つだが、１０個以下の皮膚挿入物を備える、項目２６から４１のいずれか一項に記載のデバイス。
（項目４４）
少なくとも１１個だが、２０個以下の皮膚挿入物を備える、項目２６から４１のいずれか一項に記載のデバイス。
（項目４５）
前記皮膚挿入物は、１つ以上のマイクロニードルを備える、項目２６から４４のいずれか一項に記載のデバイス。
（項目４６）
前記マイクロニードルの少なくともいくつかは、中実である、項目４５に記載のデバイス。
（項目４７）
前記マイクロニードルの少なくともいくつかは、中空である、項目４５または４６のいずれか一項に記載のデバイス。
（項目４８）
前記対象は、ヒトである、項目４５から４７のいずれか一項に記載のデバイス。
（項目４９）
前記デバイスは、内蔵型である、項目４５から４８のいずれか一項に記載のデバイス。
（項目５０）
対象の皮膚からおよび／または皮下から流体を採取するためのデバイスであって、該デバイスは、
流体輸送器と、
流体が該デバイスの中に採取される前において大気圧よりも低い内圧を有する真空チャンバと、
負圧が該対象の皮膚に加えられたときに、該流体輸送器を介して該対象から採取された該流体を受けるための貯蔵チャンバであって、該貯蔵チャンバは、該真空チャンバから分離されている、貯蔵チャンバと
を備える、デバイス。
（項目５１）
前記流体は、血液を含む、項目５０に記載のデバイス。
（項目５２）
前記貯蔵チャンバは、膜によって前記真空チャンバから分離されている、項目５０または５１のいずれか一項に記載のデバイス。
（項目５３）
前記膜は、親水性である、項目５２に記載のデバイス。
（項目５４）
前記膜は、疎水性である、項目５２に記載のデバイス。
（項目５５）
前記貯蔵チャンバは、多孔質構造によって前記真空チャンバから分離されている、項目５０から５４のいずれか一項に記載のデバイス。
（項目５６）
前記貯蔵チャンバは、溶解性インタフェースによって前記真空チャンバから分離されている、項目５０から５５のいずれか一項に記載のデバイス。
（項目５７）
前記流体輸送器は、１つ以上のマイクロニードルを備える、項目５０から５６のいずれか一項に記載のデバイス。
（項目５８）
前記マイクロニードルの少なくともいくつかは、中実である、項目５７に記載のデバイス。
（項目５９）
前記マイクロニードルの少なくともいくつかは、中空である、項目５７または５８のいずれか一項に記載のデバイス。
（項目６０）
前記対象は、ヒトである、項目５０から５９のいずれか一項に記載のデバイス。
（項目６１）
前記デバイスは、内蔵型である、項目５０から６０のいずれか一項に記載のデバイス。
（項目６２）
対象の皮膚からおよび／または皮下から流体を採取するためのデバイスであって、該デバイスは、
少なくとも６つのマイクロニードルと、
該対象から採取された流体を受けるための貯蔵チャンバであって、該貯蔵チャンバは、該流体を受ける前において大気圧よりも低い内圧を有する、貯蔵チャンバと
を備える、デバイス。
（項目６３）
前記流体は、血液を含む、項目６２に記載のデバイス。
（項目６４）
前記少なくとも６つのマイクロニードルは、各々約１ｍｍ以下の前記皮膚の中への最大侵入を有する、項目６２または６３のいずれか一項に記載のデバイス。
（項目６５）
前記少なくとも６つのマイクロニードルは、各々約０．１ｍｍ以下の前記皮膚の中への最大侵入を有する、項目６２から６４のいずれか一項に記載のデバイス。
（項目６６）
前記デバイスは、少なくとも１０個のマイクロニードルを備える、項目６２から６５のいずれか一項に記載のデバイス。
（項目６７）
前記少なくとも６つのマイクロニードルは、少なくとも約５００ｎｍ２の総皮膚侵入面積を有する、項目６２から６６のいずれか一項に記載のデバイス。
（項目６８）
前記マイクロニードルの少なくともいくつかは、中実である、項目６２から６７のいずれか一項に記載のデバイス。
（項目６９）
前記マイクロニードルの少なくともいくつかは、中空である、項目６２から６８のいずれか一項に記載のデバイス。
（項目７０）
対象の皮膚からおよび／または皮下から流体を採取するためのデバイスであって、該デバイスは、
少なくとも約５００ｎｍ２の総皮膚侵入面積を有する複数のマイクロニードルと、
該複数のマイクロニードルを介して該対象から採取された流体を受けるための貯蔵チャンバであって、該貯蔵チャンバは、該流体を受ける前において大気圧よりも低い内圧を有する、貯蔵チャンバと
を備える、デバイス。
（項目７１）
前記流体は、血液を含む、項目７０に記載のデバイス。
（項目７２）
前記複数のマイクロニードルは、各々約１ｍｍ以下の前記皮膚への最大侵入を有する、
項目７０または７１のいずれか一項に記載のデバイス。
（項目７３）
前記マイクロニードルは、少なくとも約１ミクロン２の総皮膚侵入面積を有する、項目７０から７２のいずれか一項に記載のデバイス。
（項目７４）
前記デバイスは、少なくとも６つのマイクロニードルを備える、項目７０から７３のいずれか一項に記載のデバイス。
（項目７５）
前記マイクロニードルの少なくともいくつかは、中実である、項目７０から７４のいずれか一項に記載のデバイス。
（項目７６）
前記マイクロニードルの少なくともいくつかは、中空である、項目７０から７５のいずれか一項に記載のデバイス。
（項目７７）
対象の皮膚からおよび／または皮下から流体を採取するためのデバイスであって、該デバイスは、
流体輸送器と、
該流体輸送器を介して該対象から採取された流体を受けるための第１の貯蔵チャンバであって、該第１の貯蔵チャンバは、第１の抗凝固剤を備える、第１の貯蔵チャンバと、
該流体輸送器を介して該対象から採取された該流体を受けるための第２の貯蔵チャンバであって、該第２の貯蔵チャンバは、第２の抗凝固剤を備える、第２の貯蔵チャンバと
を備える、デバイス。
（項目７８）
前記流体は、血液を含む、項目７７に記載のデバイス。
（項目７９）
前記第１の貯蔵チャンバは、前記流体を受ける前において大気圧よりも低い内圧を有し、前記第２の貯蔵チャンバは、該流体を受ける前において大気圧よりも低い内圧を有する、項目７７または７８のいずれか一項に記載のデバイス。
（項目８０）
前記第１の抗凝固剤は、エチレンジアミン四酢酸を含み、前記デバイスの少なくとも一部分は、藤色および／または紫色である、項目７７から７９のいずれか一項に記載のデバイス。
（項目８１）
前記第１の抗凝固剤は、クエン酸塩を含み、前記デバイスの少なくとも一部分は、淡青色である、項目７７から８０のいずれか一項に記載のデバイス。
（項目８２）
前記第１の抗凝固剤は、エチレンジアミン四酢酸を含み、前記デバイスの少なくとも一部分が濃青色である、項目７７から８１のいずれか一項に記載のデバイス。
（項目８３）
前記第１の抗凝固剤は、ヘパリンを含み、前記デバイスの少なくとも一部分は、緑色である、項目７７から８２のいずれか一項に記載のデバイス。
（項目８４）
前記第１の抗凝固剤は、フッ化物および／またはシュウ酸塩を含み、前記デバイスの少なくとも一部分は、灰色である、項目７７から８３のいずれか一項に記載のデバイス。
（項目８５）
前記第１の抗凝固剤は、トロンビンを含み、前記デバイスの少なくとも一部分は、オレンジ色である、項目７７から８４のいずれか一項に記載のデバイス。
（項目８６）
前記第１の抗凝固剤は、ポリアネトールスルホン酸ナトリウムおよび／またはクエン酸デキストロースを含み、前記デバイスの少なくとも一部分は、黄色である、項目７７から８５のいずれか一項に記載のデバイス。
（項目８７）
前記第１の抗凝固剤は、クエン酸塩を含み、前記デバイスの少なくとも一部分は、黒色である、項目７７から８６のいずれか一項に記載のデバイス。
（項目８８）
前記第１の抗凝固剤は、ヘパリンを含み、前記デバイスの少なくとも一部分は、茶色である、項目７７から８７のいずれか一項に記載のデバイス。
（項目８９）
対象の皮膚からおよび／または皮下から流体を採取するためのデバイスであって、該デバイスは、
流体輸送器と、
該流体輸送器を介して該対象から採取された流体を受けるための第１の貯蔵チャンバであって、該貯蔵チャンバは、該流体を受ける前において大気圧よりも低い内圧を有する、第１の貯蔵チャンバと、
該第１の貯蔵チャンバ内に含有される反応エンティティであって、該反応エンティティは、該流体内に含有される分析物と反応することができ、該反応エンティティと該分析物との生成物は、決定可能である、反応エンティティと
を備える、デバイス。
（項目９０）
前記流体は、血液を含む、項目８９に記載のデバイス。
（項目９１）
前記生成物は、前記デバイスの少なくとも一部分を分析することができる外部装置によって決定可能である、項目８９または９０のいずれか一項に記載のデバイス。
（項目９２）
反応種と前記分析物との前記生成物は、蛍光の変化として決定可能である、項目８９から９１のいずれか一項に記載のデバイス。
（項目９３）
反応種と前記分析物との前記生成物は、電気的性質の変化として決定可能である、項目８９から９２のいずれか一項に記載のデバイス。
（項目９４）
反応種と前記分析物との前記生成物は、光学的性質の変化として決定可能である、項目８９から９３のいずれか一項に記載のデバイス。
（項目９５）
前記分析物は、グルコースを含む、項目８９から９４のいずれか一項に記載のデバイス。
（項目９６）
前記分析物は、酸素を含む、項目８９から９５のいずれか一項に記載のデバイス。
（項目９７）
前記分析物は、イオンである、項目８９から９６のいずれか一項に記載のデバイス。
（項目９８）
前記反応エンティティは、抗体を含む、項目８９から９７のいずれか一項に記載のデバイス。
（項目９９）
前記反応エンティティは、タンパク質を含む、項目８９から９８のいずれか一項に記載のデバイス。
（項目１００）
前記反応エンティティは、酵素を含む、項目８９から９９のいずれか一項に記載のデバイス。
（項目１０１）
Ｖａｃｕｔａｉｎｅｒ（商標）チューブまたはＶａｃｕｅｔｔｅ（商標）チューブ上にデバイスを設置するための物品であって、該物品は、
約１００ｍｍ以下の最大長さと約１６ｍｍ以下の直径とを有するアダプタであって、該アダプタは、（１）約５０ｍｍ以下の最大横方向寸法、および／または（２）該デバイスが対象に適用されるときに該対象の皮膚から延在している約１０ｍｍ以下の最大縦方向寸法を有する該デバイスを移動不能にすることができる、アダプタ
を備える、物品。
（項目１０２）
前記アダプタは、約１３ｍｍ以下の直径を有する、項目１０１に記載の物品。
（項目１０３）
対象の皮膚からおよび／または皮下から流体を採取するためのデバイスであって、該デバイスは、
流体輸送器と、
該流体輸送器を介して該対象から採取された流体を受けるための貯蔵チャンバであって、該貯蔵チャンバは、該流体を受ける前において大気圧よりも低い内圧を有する、貯蔵チャンバと、
該デバイス内に含有される該流体内のカリウムイオンを決定することができるカリウムセンサと
を備える、デバイス。
（項目１０４）
前記流体は、血液を含む、項目１０３に記載のデバイス。
（項目１０５）
前記カリウムセンサは、イオン選択性電極を備える、項目１０３または１０４のいずれか一項に記載のデバイス。
（項目１０６）
対象の皮膚からおよび／または皮下から流体を採取するためのデバイスであって、該デバイスは、
流体輸送器と、
該流体輸送器を介して該対象から採取された流体を受けるための貯蔵チャンバであって、該貯蔵チャンバは、該流体を受ける前において大気圧よりも低い内圧を有する、貯蔵チャンバと、
該貯蔵チャンバの中への流体流動を制御することができる流量制御器と
を備える、デバイス。
（項目１０７）
前記流体は、血液を含む、項目１０６に記載のデバイス。
（項目１０８）
所定の量の前記流体が前記貯蔵チャンバに入った後に、前記流量制御器は、流体流動を停止する、項目１０６または１０７のいずれか一項に記載のデバイス。
（項目１０９）
前記流量制御器は、膜を備える、項目１０６から１０８のいずれか一項に記載のデバイス。
（項目１１０）
前記流量制御器は、弁を備える、項目１０６から１０９のいずれか一項に記載のデバイス。
（項目１１１）
前記流量制御器は、前記貯蔵チャンバの前記内圧を制御することができる、項目１０６から１１０のいずれか一項に記載のデバイス。
（項目１１２）
前記流量制御器は、外部から制御される、項目１０６から１１１のいずれか一項に記載のデバイス。
（項目１１３）
前記流量制御器の少なくとも一部分は、溶解性である、項目１０６から１１２のいずれか一項に記載のデバイス。
（項目１１４）
対象の皮膚からおよび／または皮下から流体を採取するためのデバイスであって、該デバイスは、
流体輸送器と、
該流体輸送器を介して該対象から採取された流体を受けるための貯蔵チャンバと
を備え、
該デバイスの推奨身体使用部位を示す色を帯びる、デバイス。
（項目１１５）
前記流体は、血液を含む、項目１１４に記載のデバイス。
（項目１１６）
対象の皮膚からおよび／または皮下から流体を採取するためのデバイスであって、該デバイスは、
該対象から流体を受けるための流体輸送器と、
該流体輸送器を介して該対象から採取された流体を受けるための貯蔵チャンバと、
該流体を該デバイスから除去するための出口ポートであって、該出口ポートは、該流体輸送器から分離されている、出口ポートと
を備える、デバイス。
（項目１１７）
前記流体は、血液を含む、項目１１６に記載のデバイス。
（項目１１８）
流体が出るとき、少なくともいくらかの真空が前記デバイスの中に依然として存在している、項目１１６または１１７のいずれか一項に記載のデバイス。
（項目１１９）
対象の皮膚からおよび／または皮下から流体を採取するためのデバイスであって、該デバイスは、
該対象から流体を受けるための流体輸送器と、
該流体輸送器を介して該対象から採取された流体を受けるための貯蔵チャンバと
を備え、
該デバイスは、約１ｍｌ未満の流体試料を該対象から再現可能に得て、分析デバイスまで送達するように構成および配設されている、デバイス。
（項目１２０）
前記流体は、血液を含む、項目１１９に記載のデバイス。
（項目１２１）
キットであって、
対象から流体を受けるための流体輸送器、および該流体輸送器を介して該対象から採取された流体を受けるための貯蔵チャンバを備える流体試料デバイスと、
該流体試料デバイス上のポートと嵌合するためのポートを有する外部分析装置と
を備える、キット。
（項目１２２）
対象の皮膚からおよび／または皮下から物質を採取し、および／または対象の皮膚および／または皮下のある場所まで物質を送達するためのデバイスであって、該デバイスは、
該対象の皮膚の中に挿入するための複数の皮膚挿入物であって、該複数の皮膚挿入物は、配置前位置および配置位置を有する、複数の皮膚挿入物と、
該複数の皮膚挿入物に動作可能に連結可能である可逆的に変形可能な構造であって、該可逆的に変形可能な構造は、第１の安定な構成から不安定な構成を経て第２の安定な構成まで切り替え可能である、可逆的に変形可能な構造と
を備え、該第１の安定な構成において、該皮膚挿入物は、該対象の皮膚と接触不可能であり、該第２の安定な構成において、該皮膚挿入物は、該対象の皮膚の中に挿入可能である、デバイス。
（項目１２３）
対象の皮膚からおよび／または皮下から物質を採取し、および／または対象の皮膚および／または皮下のある場所まで物質を送達するためのデバイスであって、該デバイスは、
該対象の皮膚の中に挿入するための複数の皮膚挿入物であって、該複数の皮膚挿入物は、配置前位置および配置位置を有する、複数の皮膚挿入物と、
発射機構であって、該複数の皮膚挿入物が配置中に該皮膚に初めて触れると、該発射機構は、該皮膚挿入物を該配置前位置から該配置位置まで、０．００２秒未満の期間で、および／または少なくとも６メートル／秒の速度で移動させることができる、発射機構と
を備える、デバイス。
（項目１２４）
対象の皮膚からおよび／または皮下から物質を採取し、および／または対象の皮膚および／また皮下のある場所まで物質を送達するためのデバイスであって、該デバイスは、
該対象の皮膚の中に挿入するための複数の皮膚挿入物であって、該複数の皮膚挿入物は、配置前位置および配置位置を有する、複数の皮膚挿入物と、
該複数の皮膚挿入物に動作可能に連結可能である可逆的に変形可能な構造であって、該可逆的に変形可能な構造と該対象の皮膚との間の最大距離は１０ｍｍ以下である、可逆的に変形可能な構造と
を備える、デバイス。
（項目１２５）
対象の皮膚からおよび／または皮下から物質を採取し、および／または対象の皮膚および／または皮下のある場所まで物質を送達するためのデバイスであって、該デバイスは、
該対象の皮膚の中に挿入するための複数の皮膚挿入物であって、該複数の皮膚挿入物は、配置前位置および配置位置を有する、複数の皮膚挿入物と、
該複数の皮膚挿入物に動作可能に連結可能である可逆的に変形可能な構造と
を備え、
該デバイスは、
該デバイスが媒体の抽出のために設置されているときの、抽出区域と平行な約５ｃｍ以下の最大横方向寸法、または
該デバイスが該媒体の抽出のために設置されているときの、該対象の皮膚から延在している約１ｃｍ以下の最大縦方向寸法、または
該媒体を含まない約２５ｇ以下の質量
のうちの少なくとも１つを備える、デバイス。
（項目１２６）
対象の皮膚からおよび／または皮下から物質を採取し、および／または対象の皮膚および／または皮下のある場所まで物質を送達するためのデバイスであって、該デバイスは、
該対象の皮膚の中に挿入するための複数の皮膚挿入物であって、該複数の皮膚挿入物は、配置前位置および配置位置を有する、複数の皮膚挿入物と、
トリガ機構であって、該トリガ機構は、該皮膚挿入物を該配置前位置から該配置位置まで移動させることができ、および該配置前位置から該配置位置に向かう移動中の少なくとも１つの期間に、該皮膚挿入物を少なくとも１００，０００メートル／秒２の割合で加速させることができる、トリガ機構と
を備える、デバイス。
（項目１２７）
対象の皮膚からおよび／または皮下から物質を採取し、および／または対象の皮膚および／または皮下のある場所まで物質を送達するためのデバイスであって、該デバイスは、
該対象の皮膚の中に挿入するための複数の皮膚挿入物であって、該複数の皮膚挿入物は、配置前位置および配置位置を有する、複数の皮膚挿入物と、
トリガ機構であって、該トリガ機構は、該皮膚挿入物を完全配置前位置から完全配置位置まで移動させることができ、該完全配置前位置と該完全配置位置との間の距離は５，０００ミクロン以下である、トリガ機構と
を備える、デバイス。
（項目１２８）
対象の皮膚からおよび／または皮下から物質を採取し、および／または対象の皮膚および／または皮下のある場所まで物質を送達するためのデバイスであって、該デバイスは、
該対象の皮膚の中に挿入するための複数の皮膚挿入物であって、該複数の皮膚挿入物は、配置前位置および配置位置を有し、該皮膚挿入物の各々は、基部から突出して該基部からの長さを画定し、該複数の皮膚挿入物は、１，０００ミクロン以下の平均長さを画定する、複数の皮膚挿入物と、
トリガ機構であって、該トリガ機構は、該複数の皮膚挿入物を皮膚の中にまたは皮膚を通して該複数の皮膚挿入物の該平均長さの少なくとも６０％の平均深さまで挿入することに十分な力によって、該皮膚挿入物を完全配置前位置から完全配置位置まで移動させることができる、トリガ機構と
を備える、デバイス。
（項目１２９）
前記挿入の深さは、前記複数の皮膚挿入物の前記平均長さの少なくとも７０％である、項目１２８に記載のデバイス。
（項目１３０）
前記挿入の深さは、前記複数の皮膚挿入物の前記平均長さの少なくとも８０％である、項目１２８に記載のデバイス。
（項目１３１）
前記挿入の深さは、前記複数の皮膚挿入物の前記平均長さの少なくとも９０％である、項目１２８に記載のデバイス。
（項目１３２）
３つ以上だが、５つ以下の皮膚挿入物を備える、項目１２２から１３１のいずれか一項に記載のデバイス。
（項目１３３）
６つ以上だが、１０個以下の皮膚挿入物を備える、項目１２２から１３１のいずれか一項に記載のデバイス。
（項目１３４）
１１個以上だが、２０個以下の皮膚挿入物を備える、項目１２２から１３１のいずれか一項に記載のデバイス。
（項目１３５）
対象の皮膚からおよび／または皮下から物質を採取し、および／または対象の皮膚および／または皮下のある場所まで物質を送達するためのデバイスであって、該デバイスは、
該対象の皮膚の中に挿入するための複数の皮膚挿入物であって、該複数の皮膚挿入物は、配置前位置および配置位置を有する、複数の皮膚挿入物と、
該複数の皮膚挿入物に動作可能に連結可能である可逆的に変形可能な構造であって、該可逆的に変形可能な構造は、蓄積エネルギー位置から、該蓄積エネルギー位置よりも高いエネルギーにある活性化エネルギー障壁を経て、該活性化エネルギー障壁よりも低いエネルギー準位にある配置エネルギー位置まで切り替え可能であり、該蓄積エネルギー位置は、該皮膚挿入物の該配置前位置と関連付けられ、該配置エネルギー位置は、該皮膚挿入物の該配置位置と関連付けられる、可逆的に変形可能な構造と
を備える、デバイス。
（項目１３６）
前記可逆的に変形可能な構造の第１の低エネルギー構成は、第２の低エネルギー位置よりも高いエネルギーにある準備位置であり、該構造を該第１の低エネルギー位置から該高エネルギー位置を経て付勢することは、該構造が該第２の低エネルギー位置に急速に移動し、およびアクチュエータ配置前位置との関連付けに急速に配置されるようにさせ、第２の低エネルギー構成は、アクチュエータ配置位置と関連付けられる、項目１３５に記載のデバイス。
（項目１３７）
対象の皮膚からおよび／または皮下から血液を採取するためのデバイスであって、該デバイスは、
可逆的に変形可能な構造と、
該変形可能な構造の変形可能な部分に固定された流体輸送器と、
該流体輸送器を介して該対象から採取された血液を受けるための貯蔵チャンバと
を備え、
該デバイスが該対象の皮膚の表面に適用され、該構造が変形させられると、該流体輸送器は該対象の皮膚の中に打ち込まれる、デバイス。
（項目１３８）
対象の皮膚からおよび／または皮下から血液を採取するためのデバイスであって、該デバイスは、
支持構造と、
該支持構造に固定された流体輸送器と、
該流体輸送器を介して該対象から採取された血液を受けるための貯蔵チャンバと
を備え、
該支持構造は、該流体輸送器を少なくとも約１ｃｍ／ｓのスピードで皮膚の中に挿入することができる、デバイス。
（項目１３９）
対象の皮膚からおよび／または皮下から血液を採取するためのデバイスであって、該デバイスは、
流体輸送器と、
血液が該デバイスの中に採取される前において大気圧よりも低い内圧を有する真空チャンバと、
負圧が該対象の皮膚に加えられたときに、該流体輸送器を介して該対象から採取された血液を受けるための貯蔵チャンバであって、該貯蔵チャンバは、該真空チャンバから分離されている、貯蔵チャンバと
を備える、デバイス。
（項目１４０）
対象の皮膚からおよび／または皮下から血液を採取するためのデバイスであって、該デバイスは、
少なくとも６つのマイクロニードルと、
該対象から採取された血液を受けるための貯蔵チャンバであって、該貯蔵チャンバは、血液を受ける前において大気圧よりも低い内圧を有する、貯蔵チャンバと
を備える、デバイス。
（項目１４１）
対象の皮膚からおよび／または皮下から血液を採取するためのデバイスであって、該デバイスは、
少なくとも約５００ｎｍ２の総皮膚侵入面積を有する複数のマイクロニードルと、
該複数のマイクロニードルを介して該対象から採取された血液を受けるための貯蔵チャンバであって、該貯蔵チャンバは、血液を受ける前において大気圧よりも低い内圧を有する、貯蔵チャンバと
を備える、デバイス。
（項目１４２）
対象の皮膚からおよび／または皮下から血液を採取するためのデバイスであって、該デバイスは、
流体輸送器と、
該流体輸送器を介して該対象から採取された血液を受けるための第１の貯蔵チャンバであって、該第１の貯蔵チャンバは、第１の抗凝固剤を含む、第１の貯蔵チャンバと、
該流体輸送器を介して該対象から採取された血液を受けるための第２の貯蔵チャンバであって、該第２の貯蔵チャンバは、第２の抗凝固剤を含む、第２の貯蔵チャンバと
を備える、デバイス。
（項目１４３）
対象の皮膚からおよび／または皮下から血液を採取するためのデバイスであって、該デバイスは、
流体輸送器と、
該流体輸送器を介して該対象から採取された血液を受けるための第１の貯蔵チャンバであって、該貯蔵チャンバは、血液を受ける前において大気圧よりも低い内圧を有する、第１の貯蔵チャンバと、
該第１の貯蔵チャンバ内に含有される反応エンティティであって、該反応エンティティは、該血液内に含有される分析物と反応することができ、該反応エンティティと該分析物との生成物は、決定可能である、反応エンティティと
を備える、デバイス。
（項目１４４）
対象の皮膚からおよび／または皮下から血液を採取するためのデバイスであって、該デバイスは、
流体輸送器と、
該流体輸送器を介して該対象から採取された血液を受けるための貯蔵チャンバであって、該貯蔵チャンバは、血液を受ける前において大気圧よりも低い内圧を有する、貯蔵チャンバと
該デバイス内に含有される血液内のカリウムイオンを決定することができるカリウムセンサと
を備える、デバイス。
（項目１４５）
対象の皮膚からおよび／または皮下から血液を採取するためのデバイスであって、該デバイスは、
流体輸送器と、
該流体輸送器を介して該対象から採取された血液を受けるための貯蔵チャンバであって、該貯蔵チャンバは、血液を受ける前において大気圧よりも低い内圧を有する、貯蔵チャンバと、
該貯蔵チャンバの中への血流を制御することができる流量制御器と
を備える、デバイス。
（項目１４６）
対象の皮膚からおよび／または皮下から血液を採取するためのデバイスであって、該デバイスは、
流体輸送器と、
該流体輸送器を介して該対象から採取された流体を受けるための貯蔵チャンバと
を備え、
該デバイスは、該デバイスの推奨身体使用部位を示す色を帯びる、デバイス。
（項目１４７）
対象の皮膚からおよび／または皮下から血液を採取するためのデバイスであって、該デバイスは、
該対象から流体を受けるための流体輸送器と、
該流体輸送器を介して該対象から採取された流体を受けるための貯蔵チャンバと、
該流体を該デバイスから除去するための出口ポートであって、該出口ポートは、該流体輸送器から分離されている、出口ポートと
を備える、デバイス。
（項目１４８）
対象の皮膚からおよび／または皮下から血液を採取するためのデバイスであって、該デバイスは、
該対象から流体を受けるための流体輸送器と、
該流体輸送器を介して該対象から採取された流体を受けるための貯蔵チャンバと
を備え、
該デバイスは、該対象から約１ｍｌ未満の流体試料を再現可能に得て、分析デバイスに送達するように構成および配設される、デバイス。